(57)【要約】【課題】植物の育成に関わる各種作業がしやすい緑化用ルーバーを提供することを目的とする。【解決手段】建物１の外壁１ａから所定の間隔をあけて立設される支持部３と、この支持部３に、上下方向に所定の間隔をあけて配置される複数のルーバー構成材４とを備えており、このルーバー構成材４は、上部開口部５ａ，６ａ，７ａを有するとともに植物が植栽される横方向に長尺な容器部５，６，７と、この容器部５，６，７を受けるとともに支持部３に取り付けられる受け部８，９，１０とを有していることを特徴とする緑化用ルーバー２。これにより、ルーバーとしての機能を確保しながら、必要に応じて、容器部を受け部から取り出すことができる。【選択図】図１
2009291098.tif 000002
【特許請求の範囲】
【請求項１】
建物の外壁から所定の間隔をあけて立設される支持部と、この支持部に、上下方向に所定の間隔をあけて配置される複数のルーバー構成材とを備えており、
このルーバー構成材は、上部開口部を有するとともに植物が植栽される横方向に長尺な容器部と、この容器部を受けるとともに前記支持部に取り付けられる受け部とを有していることを特徴とする緑化用ルーバー。
【請求項２】
請求項１に記載の緑化用ルーバーにおいて、
前記ルーバー構成材は、このルーバー構成材を、このルーバー構成材の長さ方向と直交する方向に対して所定の角度で傾斜させるための角度調整手段を備えていることを特徴とする緑化用ルーバー。
【請求項３】
請求項１または２に記載の緑化用ルーバーにおいて、
前記容器部は、矩形状の底板部と、この底板部の周縁部に沿って設けられる周壁部とを有することによって略直方体状に形成されていることを特徴とする緑化用ルーバー。
【請求項４】
請求項１または２に記載の緑化用ルーバーにおいて、
前記容器部は、垂直に配置される矩形状の垂直板部と、この垂直板部の下端部から斜め上方に延出する矩形状の傾斜板部と、これら垂直板部および傾斜板部の左右両端部に設けられる三角形状の側板部とを備えていることを特徴とする緑化用ルーバー。
【請求項５】
請求項１または２に記載の緑化用ルーバーにおいて、
前記容器部は、垂直に配置される垂直板部と、この垂直板部の下端部から斜め下方に延出する矩形状の底板部と、この底板部の下端部から斜め上方に延出する矩形状の傾斜板部と、これら垂直板部と底板部と傾斜板部の左右両端部に設けられる略逆台形状の側板部とを備えていることを特徴とする緑化用ルーバー。
【請求項６】
請求項２から５のいずれか一項に記載の緑化用ルーバーにおいて、
前記ルーバー構成材は、このルーバー構成材が傾けられた際の最も下方に位置する部分の近傍に、前記容器部と受け部とをそれぞれ貫通する排水孔を備えていることを特徴とする緑化用ルーバー。
【発明の詳細な説明】
【技術分野】
【０００１】
本発明は、採光性および通風性を確保しながら、隣家や外部からの視線を遮ることができ、さらに緑化ができる緑化用ルーバーに関する。
【背景技術】
【０００２】
採光性および通風性を確保しながら、隣家や外部からの視線を遮ることができ、さらに緑化ができる緑化用ルーバーとして、例えば植物が植え付けられる開口容器状の羽根板を、支柱間に隙間をあけて複数取り付けるような技術が知られている（例えば、特許文献１参照）。
【特許文献１】特開２００２−０３４３４７号公報
【発明の開示】
【発明が解決しようとする課題】
【０００３】
例えば植物の植え替えや土替え、水やり、肥料やり、剪定等の植物の育成に関わる各種作業を行う際に、上記のような緑化用ルーバーは羽根板を植栽用の容器として利用しているため、高い位置に取り付けられる羽根板ほど手が届きにくくなり、作業しにくい場合がある。
【０００４】
本発明の課題は、植物の育成に関わる各種作業がしやすい緑化用ルーバーを提供することを目的とする。
【課題を解決するための手段】
【０００５】
請求項１に記載の発明は、緑化用ルーバー２であり、例えば図１〜図１３に示すように、建物１の外壁１ａから所定の間隔をあけて立設される支持部３と、この支持部３に、上下方向に所定の間隔をあけて配置される複数のルーバー構成材４とを備えており、
このルーバー構成材４は、上部開口部５ａ，６ａ，７ａを有するとともに植物が植栽される横方向に長尺な容器部５，６，７と、この容器部５，６，７を受けるとともに前記支持部３に取り付けられる受け部８，９，１０とを有していることを特徴とする。
【０００６】
請求項１に記載の発明によれば、建物１の外壁１ａから所定の間隔をあけて立設される支持部３と、この支持部３に、上下方向に所定の間隔をあけて配置される複数のルーバー構成材４とを備えているので、これら複数のルーバー構成材４と、これらルーバー構成材４の容器部５，６，７に植栽される植物とによって隣家や外部からの視線を遮ることができる。さらに、これら複数のルーバー構成材４間から確実に採光できるとともに風を通すことができる。
また、前記ルーバー構成材４は、上部開口部５ａ，６ａ，７ａを有するとともに植物が植栽される横方向に長尺な容器部５，６，７と、この容器部５，６，７を受けるとともに前記支持部３に取り付けられる受け部８，９，１０とを有しているので、必要に応じて、前記容器部５，６，７を前記受け部８，９，１０から取り出すことができる。これによって、例えば植物の植え替えや土替え、水やり、肥料やり、剪定等の植物の育成に関わる各種作業を行う際に、前記容器部５，６，７をいったん下に降ろしてから作業を行うことができるので、従来に比して、植物の育成に関わる各種作業がしやすくなる。
【０００７】
請求項２に記載の発明は、例えば図７および図８に示すように、請求項１に記載の緑化用ルーバー２において、
前記ルーバー構成材４は、このルーバー構成材４を、このルーバー構成材４の長さ方向と直交する方向に対して所定の角度で傾斜させるための角度調整手段１１，１２を備えていることを特徴とする。
【０００８】
請求項２に記載の発明によれば、前記ルーバー構成材４は、このルーバー構成材４を、このルーバー構成材４の長さ方向と直交する方向に対して所定の角度で傾斜させるための角度調整手段１１，１２を備えているので、前記容器部５，６，７を傾けながら前記受け部８，９，１０から取り出したり、入れたりすることができる。これによって、前記容器部５，６，７をいったん下に降ろしてから作業を行う際に、前記容器部５，６，７を、上方に位置するルーバー構成材４に極力接触しないように前記受け部８，９，１０から取り出したり、入れることができるので、従来に比して、より植物の育成に関わる各種作業がしやすくなる。
また、前記角度調整手段１１，１２によって傾けられたルーバー構成材４は、傾けられていないルーバー構成材４に比して、前記ルーバー構成材４を正面から見た際における視線を遮る範囲を広くすることができる。
【０００９】
請求項３に記載の発明は、例えば図３および図４に示すように、請求項１または２に記載の緑化用ルーバー２において、
前記容器部５は、矩形状の底板部５０と、この底板部５０の周縁部に沿って設けられる周壁部５１とを有することによって略直方体状に形成されていることを特徴とする。
【００１０】
請求項３に記載の発明によれば、前記容器部５は、矩形状の底板部５０と、この底板部５０の周縁部に沿って設けられる周壁部５１とを有することによって略直方体状に形成されているので、前記容器部５を地面に置いた際に安定する。これによって、さらに植物の育成に関わる各種作業がしやすくなる。
【００１１】
請求項４に記載の発明は、例えば図５に示すように、請求項１または２に記載の緑化用ルーバー２において、
前記容器部６は、垂直に配置される矩形状の垂直板部６０と、この垂直板部６０の下端部から斜め上方に延出する矩形状の傾斜板部６１と、これら垂直板部６０および傾斜板部６１の左右両端部に設けられる三角形状の側板部６２とを備えていることを特徴とする。
【００１２】
請求項４に記載の発明によれば、前記容器部６は、垂直に配置される矩形状の垂直板部６０と、この垂直板部６０の下端部から斜め上方に延出する矩形状の傾斜板部６１と、これら垂直板部６０および傾斜板部６１の左右両端部に設けられる三角形状の側板部６２とを備えているので、例えば略等しい大きさに設定された上部開口部を有するとともに、同じ容積に設定された略直方体状の容器部に比して、深さを深くすることができる。これによって、植物によっては根を張りやすく、生育させやすい環境を形成することができる。
また、前記垂直板部６０側から前記緑化用ルーバー２を見た際に、垂直な面が上下方向に沿って所定の間隔をあけて並んで見えるので、外観性に優れる。
【００１３】
請求項５に記載の発明は、例えば図６に示すように、請求項１または２に記載の緑化用ルーバー２において、
前記容器部７は、垂直に配置される垂直板部７０と、この垂直板部７０の下端部から斜め下方に延出する矩形状の底板部７１と、この底板部７１の下端部から斜め上方に延出する矩形状の傾斜板部７２と、これら垂直板部７０と底板部７１と傾斜板部７２の左右両端部に設けられる略逆台形状の側板部７３とを備えていることを特徴とする。
【００１４】
請求項５に記載の発明によれば、前記容器部７は、垂直に配置される垂直板部７０と、この垂直板部７０の下端部から斜め下方に延出する矩形状の底板部７１と、この底板部７１の下端部から斜め上方に延出する矩形状の傾斜板部７２と、これら垂直板部７０と底板部７１と傾斜板部７２の左右両端部に設けられる略逆台形状の側板部７３とを備えているので、例えば略等しい大きさに設定された上部開口部を有するとともに、同じ容積に設定された略直方体状の容器部に比して、深さを深くすることができる。これによって、植物によっては根を張りやすく、生育させやすい環境を形成することができる。
また、前記容器部７は、前記底板部７１を備えているので、この容器部７を地面に置いた際に安定する。これによって、さらに植物の育成に関わる各種作業がしやすくなる。
また、前記垂直板部７０側から前記緑化用ルーバー２を見た際に、垂直な面が上下方向に沿って所定の間隔をあけて並んで見えるので、外観性に優れる。
【００１５】
請求項６に記載の発明は、例えば図９〜図１１に示すように、請求項２から５のいずれか一項に記載の緑化用ルーバーにおいて、
前記ルーバー構成材４は、このルーバー構成材４が傾けられた際の最も下方に位置する部分の近傍に、前記容器部５，６，７と受け部８，９，１０とをそれぞれ貫通する排水孔５ｂ，６ｂ，７ｂ，８ａ，９ａ，１０ａを備えていることを特徴とする。
【００１６】
請求項６に記載の発明によれば、前記ルーバー構成材４は、このルーバー構成材４が傾けられた際の最も下方に位置する部分の近傍に、前記容器部５，６，７と受け部８，９，１０とをそれぞれ貫通する排水孔５ｂ，６ｂ，７ｂ，８ａ，９ａ，１０ａを備えているので、前記ルーバー構成材４が傾けられた際に、前記容器部５，６，７内の余剰水分を、前記排水孔５ｂ，６ｂ，７ｂ，８ａ，９ａ，１０ａを通じて外部へと確実に排出することができる。また、排出された余剰水分を、下方に位置するルーバー構成材４側に確実に滴下できるので、効率が良い。
【発明の効果】
【００１７】
本発明によれば、建物の外壁から所定の間隔をあけて立設される支持部と、この支持部に、上下方向に所定の間隔をあけて配置される複数のルーバー構成材とを備えているので、これら複数のルーバー構成材と、これらルーバー構成材の容器部に植栽される植物とによって隣家や外部からの視線を遮ることができる。さらに、これら複数のルーバー構成材間から確実に採光できるとともに風を通すことができる。
また、ルーバー構成材は、上部開口部を有するとともに植物が植栽される横方向に長尺な容器部と、この容器部を受けるとともに支持部に取り付けられる受け部とを有しているので、必要に応じて、容器部を受け部から取り出すことができる。これによって、例えば植物の植え替えや土替え、水やり、肥料やり、剪定等の植物の育成に関わる各種作業を行う際に、容器部をいったん下に降ろしてから作業を行うことができるので、従来に比して、植物の育成に関わる各種作業がしやすくなる。
【発明を実施するための最良の形態】
【００１８】
以下、図面を参照して本発明の実施の形態について説明する。
【００１９】
本実施の形態の緑化用ルーバー２は、図１〜図１３に示すように、建物１の外壁１ａから所定の間隔をあけて立設される支持部３と、この支持部３に、上下方向に所定の間隔をあけて配置される複数のルーバー構成材４とを備えており、
このルーバー構成材４は、上部開口部５ａ，６ａ，７ａを有するとともに植物が植栽される横方向に長尺な容器部５，６，７と、この容器部５，６，７を受けるとともに前記支持部３に取り付けられる受け部８，９，１０とを有している。
【００２０】
そして、このように前記複数のルーバー構成材４が、前記支持部３に上下方向に所定の間隔をあけて配置されているので、これら複数のルーバー構成材４と、これらルーバー構成材４の容器部５，６，７に植栽される植物とによって隣家や外部からの視線を遮ることができる。さらに、これら複数のルーバー構成材４間から確実に採光できるとともに風を通すことができる。すなわち、ルーバーとしての役割を十分に果たすことが可能となっている。
【００２１】
さらに、以上のように前記ルーバー構成材４は、上部開口部５ａ，６ａ，７ａを有するとともに植物が植栽される横方向に長尺な容器部５，６，７と、この容器部５，６，７を受けるとともに前記支持部３に取り付けられる受け部８，９，１０とを有しているので、必要に応じて、前記容器部５，６，７を前記受け部８，９，１０から取り出すことができるようになっている。
【００２２】
ここで、本実施の形態の支持部３は、図１および図８に示すように、互いに所定の間隔をあけて立設される複数本の柱とされているが、例えば壁等でもよく、これに限られるものではない。すなわち、所定の間隔をあけて横方向に隣り合う壁同士の対向する端面間に前記ルーバー構成材４を架設してもよい。
【００２３】
前記容器部５，６，７は、図３〜図６に示すように、様々な形状に形成されたものが用いられており、これら容器部５，６，７は、上部開口部５ａ，６ａ，７ａを有する開口容器状に形成されることによって、例えば、この上部開口部５ａ，６ａ，７ａから土を入れたり、水やりを行ったりできるので、植物を植栽できるようになっている。
なお、この容器部５，６，７の素材は、コーティングが施された金属製のものや、木製のもの、また、樹脂製や窯業系のものでもよく、適宜変更可能である。
本実施の形態においては、前記容器部５，６，７のうち、いずれを用いてもよく、また、これら容器部５，６，７を併用してもよいものとする。
【００２４】
また、この容器部５，６，７の内部には、植物を植栽するための土が入れられている。なお、土の代わりに、例えばバーミキュライト等の多孔質で軽量、水はけもよく、通気性や保肥力にも優れる人口用土などを苗床として用いるようにしてもよい。また、土よりも軽量な苗床を用いることによって、前記容器部５，６，７の前記受け部８，９，１０からの取り出しがしやすくなるので好ましい。
【００２５】
さらに、この容器部５，６，７の内部に、例えばこの容器部５，６，７の側板部と略等しい形状に設定された仕切り板を設けることによって、この容器部５，６，７の内部を仕切ることができる。これによって、種類の異なる植物同士を、同じ容器部５，６，７に植栽できるので好ましい。
【００２６】
また、本実施の形態の受け部８，９，１０は、上部が開口する開口容器状に形成されたものであるとともに、前記容器部５，６，７の形状に応じて適宜変更可能である。
すなわち、前記容器部５，６，７が例えば略直方体形状であれば、この略直方体形状の容器部５，６，７を収容可能な略直方体状の横方向に長尺な開口容器として構成されており、前記容器部５，６，７が例えば略三角柱形状であれば、この略三角柱形状の容器部５，６，７を収容可能な略三角柱状の横方向に長尺な開口容器として構成されている。また、前記容器部５，６，７が例えば略逆台形柱形状であれば、この略逆台形柱形状の容器部５，６，７を収容可能な略逆台形柱状の横方向に長尺な開口容器として構成されている。
なお、その他にも、例えば前記支持部３にそれぞれ取り付けられるとともに、前記容器部５，６，７を下方から支持する複数のフック状のものでもよいし、略三角柱状に形成された容器部５，６，７の下端部が差し込まれる枠状のものでもよい。
【００２７】
また、前記容器部５，６，７のうち、前記容器部５は、図３および図４に示すように、矩形状の底板部５０と、この底板部５０の周縁部に沿って設けられる周壁部５１とを有することによって略直方体状に形成されている。
さらに、この容器部５を受ける受け部８は、図３（ａ）および図４に示すように、上部が開口するとともに略直方体状に形成される横方向に長尺な開口容器として構成されている。
【００２８】
前記周壁部５１は、図３（ａ），（ｂ）に示すように、互いに対向する横方向に長尺な第１および第２板部５１ａ，５１ｂと、これら第１および第２板部５１ａ，５１ｂの左右両端部に設けられる側板部５１ｃとを備えている。
また、これら第１および第２板部５１ａ，５１ｂと両側板部５１ｃとの上端部には、矩形枠状の上枠部５２が設けられている。
【００２９】
そして、このように前記容器部５は、略直方体状に形成されているので、前記容器部５を地面に置いた際に安定するので、例えば植物の植え替えや土替え、水やり、肥料やり、剪定等の植物の育成に関わる各種作業がしやすくなる。
【００３０】
また、前記容器部５が上部開口部５ａを有する略直方体状に形成されており、前記受け部８も上部が開口するとともに略直方体状に形成されており、さらに、この受け部８に前記容器部５を収容する形態となっているので、前記容器部５を使用しない際は、この容器部５を裏返しにした状態で前記受け部８に収容して、この受け部８の上部開口を閉塞しておくようにしてもよい。
この時、前記容器部５の底板部５０には、例えば、この底板部５０の表面よりも外側に突出しない把手（図示せず）等を設けることが好ましい。
【００３１】
さらに、このような容器部５は、図４に示すように、この容器部５の長さ方向と直交する方向に対して所定の角度で傾斜させてもよい。すなわち、前記ルーバー構成材４を、このルーバー構成材４の長さ方向と直交する方向に対して所定の角度で傾斜させることによって、前記容器部５を傾斜させることができる。
【００３２】
ここで、前記ルーバー構成材４は、図７および図８に示すように、角度調整手段１１，１２を備えている。なお、本実施の形態においては角度調整手段１１が採用されているが、角度調整手段１２を採用してもよく、また、これらに限るものではなく適宜変更可能であるものとする。
【００３３】
図７に示す角度調整手段１１は、角度調整金具１１であり、この角度調整金具１１は、前記支持部３に固定される第１固定部１１ａと、前記受け部８の支持部３側の上端部に固定される第２固定部１１ｂと、これら第１および第２固定部１１ａ，１１ｂ間に取り付けられる調整部材１１ｃとを備えている。
この時、前記受け部８の支持部３側の下端部は、前記支持部３に当接するようにして設けられている。なお、図示はしないが、この受け部８の支持部３側の下端部を受ける受け部を、前記支持部３に設けてもよいものとする。
そして、この調整部材１１ｃは、長さの異なるものを複数用意しておき、これら長さの異なる調整部材１１ｃを適宜取り替えることによって、前記ルーバー構成材４の角度を調整できるようになっている。
【００３４】
図８に示す角度調整手段１２は、前記受け部８の両側端部に設けられる回動軸１２である。なお、前記支持部３である両柱は、前記ルーバー構成材４の長さ寸法よりも長く間隔をあけて立設されている。そして、前記回動軸１２を受ける軸受け部１２ａが、前記支持部３の内側面に固定されている。
なお、例えば前記支持部３に突起（図示せず）を設けて、この突起にルーバー構成材４が当たるようにしてルーバー構成材４が傾斜する角度の限界値を設定したり、回動軸１２の回転をきつくして風などで角度が変わったりしないような工夫をすると好ましい。
【００３５】
また、図示はしないが、前記容器部５，６，７と、前記受け部８，９，１０との間に、前記容器部５，６，７を傾けるための傾け部材を介在させるようにして、前記容器部５，６，７を傾斜させてもよい。
【００３６】
そして、前記ルーバー構成材４は、このような角度調整金具１１または回動軸１２によって所定の角度で傾斜できるので、前記容器部５を傾けながら、上方に位置するルーバー構成材４に極力接触しないように前記受け部８から取り出したり、入れたりすることができる。
また、前記角度調整金具１１または回動軸１２によって傾けられたルーバー構成材４は、傾けられていないルーバー構成材４に比して、前記ルーバー構成材４を正面から見た際における視線を遮る範囲を広くすることができる。これに伴って、前記ルーバー構成材４間を通過する日射や風の量も調節することができる。
【００３７】
なお、本実施の形態の緑化用ルーバー２においては、前記角度調整金具１１または回動軸１２を利用することによって、傾斜させない状態の容器部５と、傾斜させた状態の容器部５とを併用してもよいものとする。
【００３８】
一方、前記容器部６は、図５（ａ），（ｂ）に示すように、垂直に配置される矩形状の垂直板部６０と、この垂直板部６０の下端部から斜め上方に延出する矩形状の傾斜板部６１と、これら垂直板部６０および傾斜板部６１の左右両端部に設けられる三角形状の側板部６２とを備えている。すなわち、この容器部６は、上部が開口する略三角柱状に形成されている。
また、これら垂直板部６０および傾斜板部６１と両側板部６２との上端部には、矩形枠状の上枠部６３が設けられている。
【００３９】
また、この容器部６を受ける受け部９は、図５（ａ）に示すように、上部が開口するとともに略三角柱状に形成される横方向に長尺な開口容器として構成されている。
【００４０】
そして、このように前記容器部６は、前記垂直板部６０および傾斜板部６１と、前記両側板部６２とを備えているので、例えば略等しい大きさに設定された上部開口部を有するとともに、同じ容積に設定された略直方体状の容器部に比して、深さを深くすることができる。これによって、植物によっては根を張りやすく、生育させやすい環境を形成することができる。
また、前記垂直板部６０側から前記緑化用ルーバー２を見た際に、垂直な面が上下方向に沿って所定の間隔をあけて並んで見えるので、外観性に優れる。
【００４１】
なお、全ての植物が深さの深い容器を好むわけでなく、植物によっては浅い容器を好む場合があるため、そのような植物を栽培する際は、前記容器部６の内部下方に、例えば鉢底石や発泡スチロール片などを埋め込んで、土の深さを調節することも可能である。
【００４２】
また、この容器部６を備えるルーバー構成材４も前記角度調整金具１１または回動軸１２によって、角度調整可能となっており、この容器部６を傾けながら、上方に位置するルーバー構成材４に極力接触しないように前記受け部９から取り出したり、入れたりすることができるようになっている。
【００４３】
一方、前記容器部７は、図６（ａ），（ｂ）に示すように、垂直に配置される垂直板部７０と、この垂直板部７０の下端部から斜め下方に延出する矩形状の底板部７１と、この底板部７１の下端部から斜め上方に延出する矩形状の傾斜板部７２と、これら垂直板部７０と底板部７１と傾斜板部７２の左右両端部に設けられる略逆台形状の側板部７３とを備えている。すなわち、この容器部７は、上部が開口する略逆台形柱状に形成されている。
また、これら垂直板部７０および傾斜板部７２と両側板部７３との上端部には、矩形枠状の上枠部７４が設けられている。
【００４４】
また、この容器部７を受ける受け部１０は、図６（ａ）に示すように、上部が開口するとともに略逆台形柱状に形成される横方向に長尺な開口容器として構成されている。
【００４５】
そして、このように容器部７は、前記垂直板部７０と、底板部７１と、傾斜板部７２と、両側板部７３とを備えているので、例えば略等しい大きさに設定された上部開口部を有するとともに、同じ容積に設定された略直方体状の容器部に比して、深さを深くすることができる。これによって、植物によっては根を張りやすく、生育させやすい環境を形成することができる。
また、前記容器部７は、前記底板部７１を備えているので、図６（ｃ）に示すように、この容器部７を地面に置いた際に安定するので、植物の育成に関わる各種作業がしやすくなる。
また、前記垂直板部７０側から前記緑化用ルーバー２を見た際に、垂直な面が上下方向に沿って所定の間隔をあけて並んで見えるので、外観性に優れる、等の利点がある。
【００４６】
また、この容器部７を備えるルーバー構成材４も前記角度調整金具１１または回動軸１２によって、角度調整可能となっており、この容器部７を傾けながら、上方に位置するルーバー構成材４に極力接触しないように前記受け部１０から取り出したり、入れたりすることができるようになっている。
【００４７】
なお、前記容器部７を構成する底板部７１は、前記垂直板部７０の下端部から斜め下方に延出しているので、冬場や春秋における比較的角度の低い日射を、上下方向に所定の間隔をあけて配置される複数のルーバー構成材４間に取り込みやすくなっている。これによって、上下方向に沿って配置されるルーバー構成材４間の間隔を狭めることが可能となっているので、前記複数のルーバー構成材４間の間隔が密な状態に設定された緑化用ルーバー２を形成することができる。
【００４８】
ここで、例えば冬場における日射角は約３０度とされており、春秋における日射角は約５５度とされている。このような日射角に応じて、前記ルーバー構成材４を適宜角度調整してもよいものとする。
【００４９】
一方、以上のようなルーバー構成材４は、図９〜図１１に示すように、このルーバー構成材４が傾けられた際の最も下方に位置する部分の近傍に、前記容器部５，６，７と受け部８，９，１０とをそれぞれ貫通する排水孔５ｂ，６ｂ，７ｂ，８ａ，９ａ，１０ａを備えている。
すなわち、前記容器部５，６，７には、この容器部５，６，７の内部と外部とを連通する排水孔５ｂ，６ｂ，７ｂが形成されている。また、前記受け部８，９，１０には、この受け部８，９，１０の内部と外部とを連通する排水孔８ａ，９ａ，１０ａが形成されている。そして、前記容器部５，６，７の排水孔５ｂ，６ｂ，７ｂと、前記受け部８の排水孔８ａ，９ａ，１０ａとは、これら排水孔５ｂ，６ｂ，７ｂ，８ａ，９ａ，１０ａの周方向と直交する方向に連続するようにして設けられている。
また、これら前記容器部５，６，７の排水孔５ｂ，６ｂ，７ｂと、前記受け部８，９，１０の排水孔８ａ，９ａ，１０ａとは、それぞれ前記容器部５，６，７および受け部８，９，１０の長さ方向に沿って複数形成されている。
【００５０】
これによって、前記ルーバー構成材４が傾けられた際に、前記容器部５，６，７内の余剰水分を、前記排水孔５ｂ，６ｂ，７ｂ，８ａ，９ａ，１０ａを通じて外部へと確実に排出することができる。また、排出された余剰水分を、下方に位置するルーバー構成材４側に確実に滴下できるので、効率が良い。
【００５１】
また、図４〜図６、図９〜図１１に示すように、前記排水孔５ｂ，６ｂ，７ｂおよび排水孔８ａ，９ａ，１０ａは、前記ルーバー構成材４を傾斜させた際に、最も下方に位置する部分の近傍に形成することが望ましい。
また、これら排水孔５ｂ，６ｂ，７ｂおよび排水孔８ａ，９ａ，１０ａの下方には、上下方向に所定の間隔をあけて配置される下方のルーバー構成材４が位置している。
【００５２】
次に、本実施の形態の緑化用ルーバー２を設置する際の周辺の構成について説明する。
【００５３】
まず、図２に示す前記緑化用ルーバー２は、例えば建物１の外壁１ａに対向するとともに、隣家や道路等の外部に面して設置されている。この時、前記外壁１ａには開口部１ｂがされている場合が多く、前記緑化用ルーバー２によって、採光性および通風性を確保しながら、隣家や外部からの視線を遮ることが可能となっている。
【００５４】
また、このように前記緑化用ルーバー２が、開口部１ｂを有する外壁１ａに対向して設けられると、前記容器部５，６，７に植栽された植物に水をやった後には、比較的涼しい風を前記開口部１ｂから取り込むことができるので、特に夏季等において好ましい。
【００５５】
一方、図１２に示す緑化用ルーバー２は、開口部を有していない外壁１ａの直前に設置されている。
ここで、図１２に示す建物１は、部屋１３と、開口部１ｂを有する外壁１ａを介して、この部屋１３に隣接してバルコニー１４が設けられている。前記部屋１３には、前記開口部１ｂを有する外壁１ａに当接して配置されるベンチ１３ａが設けられており、前記バルコニー１４には、前記開口部１ｂを有する外壁１ａに近接して配置されるデッキ１４ａが設けられている。これによって、前記部屋１３とバルコニー１４との一体感を向上させることができるので、居住者は、前記部屋１３からバルコニー１４を眺めた際に、前記部屋１３にいながらにして、庭にいるような開放感を得ることが可能となり、快適な居住環境を形成できるようになっている。
そして、このようなバルコニー１４に面する開口部を有していない外壁１ａに、前記緑化用ルーバー２が設置されている。これによって、開口部を有していない外壁１ａの表面を前記緑化用ルーバー２によって隠して緑化できるので、前記部屋１３からバルコニー１４を眺める際と、バルコニー１４内にいる時の快適性を格段に向上させることができる。さらに、前記上下方向に沿って配置される複数のルーバー構成材４間から採光できるとともに風を通すことができるので、前記容器部５，６，７に植栽された植物にとって好ましい環境を形成できるようになっている。
【００５６】
また、例えば、前記緑化用ルーバー２には、給水源１５ａに接続されるとともに、タイマーや水量調節等の機能を有し、自動で水やりが可能な潅水制御装置１５を設けるようにしてもよい。
さらに、快適な居住環境を得る手段として、例えば前記緑化用ルーバー２の周囲やバルコニー２に、このバルコニー２内の空気を加湿冷却する加湿冷却手段１６を設けるようにしてもよい。
【００５７】
この加湿冷却手段１６は、図１２に示すように、前記緑化用ルーバー２の上部付近に設けられる複数のノズル１６ａと、これら複数のノズル１６ａに水を供給する供給手段１６ｂと、これら複数のノズル１６ａおよび供給手段１６ｂを接続する給水パイプ１６ｃとを備えている。そして、このノズル１６ａによって、極微細な水分（例えば４マイクロメートル程度）をノズル１６ａから噴霧でき、その噴射された水分の気化熱を利用することによって周囲を濡らさずに冷却できるようになっている。
また、このような加湿冷却手段１６によれば、前記複数のノズル１６ａから噴射される極微細霧状の水分が気化する際の気化熱によってバルコニー１４内の温度を低下させることができる。これによって、比較的温度の低いバルコニー１４からの風を、前記部屋１３内に吹き込ませることによって、この部屋１の温度も低下させることができるので、特に夏季における居住環境を格段に快適なものとすることができる。
【００５８】
なお、壁面緑化を図りたい場合は、図１３に示すように、例えば前記容器部７の垂直板部７０にフック７０ａを設けておき、前記開口部を有していない外壁１ａに、このフック７０ａが引っ掛けられるフック受け７０ｂを設けることによって、前記容器部７を、前記開口部を有していない外壁１ａに直接設けるようにしてもよい。この例は、前記容器部７に限られるものではなく、前記容器部５，６でもよい。
【００５９】
本実施の形態によれば、建物１の外壁１ａから所定の間隔をあけて立設される支持部３と、この支持部３に、上下方向に所定の間隔をあけて配置される複数のルーバー構成材４とを備えているので、これら複数のルーバー構成材４と、これらルーバー構成材４の容器部５，６，７に植栽される植物とによって隣家や外部からの視線を遮ることができる。さらに、これら複数のルーバー構成材４間から確実に採光できるとともに風を通すことができる。
また、前記ルーバー構成材４は、上部開口部５ａ，６ａ，７ａを有するとともに植物が植栽される横方向に長尺な容器部５，６，７と、この容器部５，６，７を受けるとともに前記支持部３に取り付けられる受け部８とを有しているので、必要に応じて、前記容器部５，６，７を前記受け部８から取り出すことができる。これによって、例えば植物の植え替えや土替え、水やり、肥料やり、剪定等の植物の育成に関わる各種作業を行う際に、前記容器部５，６，７をいったん下に降ろしてから作業を行うことができるので、従来に比して、植物の育成に関わる各種作業がしやすくなる。
【図面の簡単な説明】
【００６０】
【図１】本発明の緑化用ルーバーを示す正面図である。
【図２】緑化用ルーバーを設置する一実施形態を示す側断面図である。
【図３】ルーバー構成材の一例を示しており、（ａ）は複数のルーバー構成材が上下方向に所定の間隔をあけて配置された状態を示す側断面図であり、（ｂ）はルーバー構成材を構成する容器部の一部を示す斜視図である。
【図４】図３に示す複数のルーバー構成材が所定の角度に傾けられた状態を示す側断面図である。
【図５】ルーバー構成材の一例を示しており、（ａ）は複数のルーバー構成材が上下方向に所定の間隔をあけて配置された状態を示す側断面図であり、（ｂ）はルーバー構成材を構成する容器部の一部を示す斜視図である。
【図６】ルーバー構成材の一例を示しており、（ａ）は複数のルーバー構成材が上下方向に所定の間隔をあけて配置された状態を示す側断面図であり、（ｂ）はルーバー構成材を構成する容器部の一部を示す斜視図であり、（ｃ）は容器部を受け部から取り出して地面に置いた状態を示す側断面図である。
【図７】角度調整金具によってルーバー構成材を傾斜させる状態を示す側断面図である。
【図８】回動軸によってルーバー構成材を傾斜させる状態を示す側断面図である。
【図９】容器部および受け部に形成された排水孔を示す部分拡大断面図である。
【図１０】容器部および受け部に形成された排水孔を示す部分拡大断面図である。
【図１１】容器部および受け部に形成された排水孔を示す部分拡大断面図である。
【図１２】緑化用ルーバーを設置する一実施形態を示す側断面図である。
【図１３】壁面緑化を行う際の一実施形態を示す側断面図である。
【符号の説明】
【００６１】
１  建物
１ａ  外壁
２  緑化用ルーバー
３  支持部
４  ルーバー構成材
５  容器部
６  容器部
７  容器部
８  受け部
９  受け部
１０  受け部
【図１】
2009291098.tif 000003
【図２】
2009291098.tif 000004
【図３】
2009291098.tif 000005
【図４】
2009291098.tif 000006
【図５】
2009291098.tif 000007
【図６】
2009291098.tif 000008
【図７】
2009291098.tif 000009
【図８】
2009291098.tif 000010
【図９】
2009291098.tif 000011
【図１０】
2009291098.tif 000012
【図１１】
2009291098.tif 000013
【図１２】
2009291098.tif 000014
【図１３】
2009291098.tif 000015